(57)【特許請求の範囲】
【請求項１】
表示装置に表示されている表示画像を特定して質問された質問内容および質問対象ページを含む質問情報に対して識別管理情報を付加して管理する質問管理部と、
前記質問情報を基に質問画像を作成する質問画像作成部と、
外部から各種の要求を受け付ける操作部と、
前記操作部を介して質問の表示要求があった場合、前記識別管理情報を基に表示対象となる前記質問対象ページの表示順番と表示時間とを管理するページ管理部と、
前記表示画像と前記質問画像とを合成した合成画像を作成する画像合成部と、
を備え、
前記ページ管理部は、前記表示順番および前記表示時間に従って前記合成画像を切り替えて前記表示装置に表示する、
ことを特徴とする表示制御装置。 
【請求項２】
前記表示時間は、質問および応答に係る全体時間と少なくとも１つの質問にどれだけの時間を必要とするかを表す最低質問時間とを含んでおり、
前記ページ管理部は、前記最低質問時間を満たせない質問が存在する場合は、最も表示順番の遅い前記質問対象ページについては表示を行なわない、
ことを特徴とする請求項１記載の表示制御装置。 
【請求項３】
前記表示時間は、質問および応答に係る全体時間と少なくとも１つの質問にどれだけの時間を必要とするかを表す最低質問時間とを含んでおり、
前記ページ管理部は、各質問数に対して前記最低質問時間を割り当てた後、時間が余っている場合は、最も表示順番の早い前記質問対象ページに多くの時間を割り当てる、
ことを特徴とする請求項１記載の表示制御装置。 
【請求項４】
前記ページ管理部は、所定の質問に係る前記合成画像の表示を開始してから所定時間が経過すると、次の質問に係る前記合成画像への切り替えを行う、
ことを特徴とする請求項１ないし３のいずれか一記載の表示制御装置。 
【請求項５】
前記ページ管理部は、所定の質問に係る前記合成画像の表示の開始後、前記操作部を介して画像切り替え要求があった場合、当該合成画像を表示可能な残り表示時間をスキップして、次の質問に係る前記合成画像への切り替えを行う、
ことを特徴とする請求項１ないし３のいずれか一記載の表示制御装置。 
【請求項６】
前記ページ管理部は、前記合成画像に対して前記残り表示時間を表示する、
ことを特徴とする請求項５記載の表示制御装置。 
【請求項７】
前記質問情報は、質問に対して重み付けをする重み付け情報を含んでおり、
前記ページ管理部は、前記重み付け情報に基づき、重み付けの高い質問に対して優先順位を高くし、長い時間を割り振る、
ことを特徴とする請求項１ないし６のいずれか一記載の表示制御装置。 
【請求項８】
前記質問情報は、異なる特徴を持つ質問者の質問を均等に配分する均等配分情報を含んでおり、
前記ページ管理部は、前記均等配分情報に基づき、同じ特徴を持つ質問者の質問が続いている場合は異なる特徴を持つ質問者の質問の優先順位を高くする、
ことを特徴とする請求項７記載の表示制御装置。 
【請求項９】
前記ページ管理部は、同じ前記質問対象ページに対する質問が複数ある場合は、ページ単位で前記表示順番を早めるとともに前記表示時間を長くする、
ことを特徴とする請求項１ないし８のいずれか一記載の表示制御装置。 
【請求項１０】
前記ページ管理部は、前記重み付け情報と、前記均等配分情報と、同じ前記質問対象ページに対する質問が複数ある場合と、同じ前記識別管理情報を有する複数の質問がある場合とについて、少なくとも２以上を組み合わせて前記表示順番および前記表示時間を管理する、
ことを特徴とする請求項８記載の表示制御装置。 
【請求項１１】
前記表示装置に表示されている画像に対して、前記質問対象ページを特定して前記質問内容を入力する入力部と、
前記入力部により入力された前記質問内容および前記質問対象ページを含む前記質問情報を作成する質問情報作成部と、
を更に備えることを特徴とする請求項１０記載の表示制御装置。 
【請求項１２】
前記入力部は、前記重み付け情報と前記均等配分情報とのうち、少なくとも１以上を入力し、
前記質問情報作成部は、前記重み付け情報と前記均等配分情報とのうち、少なくとも１以上を前記質問情報に含める、
ことを特徴とする請求項１１記載の表示制御装置。 
【請求項１３】
前記質問情報作成部は、前記重み付け情報と前記均等配分情報との少なくともいずれか一方の選択項目について選択可能なインタフェースを有する、
ことを特徴とする請求項１２記載の表示制御装置。 
【請求項１４】
前記質問管理部は、前記識別管理情報を基に前記重み付け情報と前記均等配分情報との少なくともいずれか一方の選択項目について選択する、
ことを特徴とする請求項１２記載の表示制御装置。 
【請求項１５】
コンピュータを、
表示装置に表示されている表示画像を特定して質問された質問内容および質問対象ページを含む質問情報に対して識別管理情報を付加して管理する質問管理部と、
前記質問情報を基に質問画像を作成する質問画像作成部と、
外部から各種の要求を受け付ける操作部と、
前記操作部を介して質問の表示要求があった場合、前記識別管理情報を基に表示対象となる前記質問対象ページの表示順番と表示時間とを管理するページ管理部と、
前記表示画像と前記質問画像とを合成した合成画像を作成する画像合成部として機能させ、
前記ページ管理部は、前記表示順番および前記表示時間に従って前記合成画像を切り替えて前記表示装置に表示する、
ことを特徴とするプログラム。
【発明の詳細な説明】
【技術分野】
【０００１】
本発明は、表示制御装置およびプログラムに関する。
【背景技術】
【０００２】
従来、オフィスや大学で行われる講義や説明会あるいは打ち合わせ等で、説明資料を事前に人数分印刷して配布しつつ、情報投影装置としてのプロジェクタを利用して、ＰＣ（Personal  Computer）上で作成した説明資料をスクリーンに投影するといった場面がある。このような場面には、ＰＣとプロジェクタとを、有線または無線で接続したプロジェクション関連の技術や、ＰＣからの資料の印刷という既存の技術を用いている。
【０００３】
一般的に、上述のようなプロジェクタを利用して複数のページにわたるスライド資料を参照しながら説明が行われるプレゼンテーションにおいては、発表時間が予め決められていることが多く、プレゼンターは、その時間内に発表を終えなければならない。プレゼンターが時間内に発表を終えるために、逐一時間の経過を把握しながら発表を行うことは手間がかかる。
【０００４】
そこで、その手間を軽減するため、次の方法が考えられている。例えば、特許文献１には、予めスライド毎に使う時間を登録しておき、プレゼンテーションの開始からの経過時間及びスライド単位の経過時間を計測し、プレゼンターに画像切り替えを指示することで発表時間を予定通りに使う技術が開示されている。
【発明の概要】
【発明が解決しようとする課題】
【０００５】
しかしながら、特許文献１に開示された技術のように、予めスライド毎に使う時間を登録してプレゼンの時間を予定通りに使う方法では、スライドによる説明後に行われる質疑応答中の各質問時間までスケジューリングして、限られた時間内に効率的に質疑応答を行うことはできないという問題がある。
【０００６】
本発明は、上記に鑑みてなされたものであって、決められた時間内で効率的に質疑応答を行うことができるようにすることを目的とする。
【課題を解決するための手段】
【０００７】
上述した課題を解決し、目的を達成するために、本発明の表示制御装置は、表示装置に表示されている画像を特定して質問された質問内容および質問対象ページを含む質問情報に対して識別管理情報を付加して管理する質問管理部と、前記質問情報を基に質問画像を作成する質問画像作成部と、外部から各種の要求を受け付ける操作部と、前記操作部を介して質問の表示要求があった場合、前記識別管理情報を基に表示対象となる前記質問対象ページの表示順番と表示時間とを管理するページ管理部と、前記表示画像と前記質問画像とを合成した合成画像を作成する画像合成部と、を備え、前記ページ管理部は、前記表示順番および前記表示時間に従って前記合成画像を切り替えて前記表示装置に表示する、ことを特徴とする。
【発明の効果】
【０００８】
本発明によれば、表示画像による説明後に行われる質疑応答で、説明中に登録された質問情報を基に、各質問に対する対象ページの表示順番と表示時間を管理し、表示順番および表示時間に従って質問対象の合成画像の表示切り替えを行うことで、決められた時間内で効率的に質疑応答を行うことができる、という効果を奏する。
【図面の簡単な説明】
【０００９】
【図１】図１は、情報投影システムのシステム構成を示すブロック図である。
【図２】図２は、情報投影装置および質問入力装置の構成を示す機能ブロック図である。
【図３】図３は、質疑応答時間の登録処理を示すシーケンス図である。
【図４】図４は、質問時間情報のデータ構造を示す模式図である。
【図５】図５は、質問情報の登録処理を示すシーケンス図である。
【図６】図６は、質問情報作成時の入力例を示す説明図である。
【図７】図７は、質問情報の一例を示す模式図である。
【図８】図８は、重み付け情報や均等配分情報の項目入力のための表示画像を示す正面図である。
【図９】図９は、質問情報のデータ構造を示す模式図である。
【図１０】図１０は、質問情報の一例を示す模式図である。
【図１１】図１１は、質疑応答の開始処理を示すシーケンス図である。
【図１２】図１２は、テーブルの一例を示す模式図である。
【図１３】図１３は、質問画像の作成手法を示す模式図である。
【図１４】図１４は、質問の残り時間を表示する画面の例を示す正面図である。
【図１５】図１５は、質疑応答の開始処理を示すシーケンス図である。
【図１６】図１６は、質疑応答の開始処理を示すシーケンス図である。
【図１７】図１７は、プレゼンテーション実施中の表示画像と、プレゼンテーション後に表示される画像とを示す図である。
【図１８】図１８は、スケジューリング処理の流れを示すフローチャートである。
【図１９】図１９は、質問情報の重み付け情報に基づく優先順位の決定例を示す説明図である。
【図２０】図２０は、スケジューリング処理の流れを示すフローチャートである。
【図２１】図２１は、質問情報の均等配分情報に基づく優先順位の決定例を示す説明図である。
【図２２】図２２は、スケジューリング処理の流れを示すフローチャートである。
【図２３】図２３は、スケジューリング処理の流れを示すフローチャートである。
【図２４】図２４は、優先度の指定例を示す模式図である。
【図２５】図２５は、スケジューリング処理の流れを示すフローチャートである。
【図２６】図２６は、再スケジューリング処理の流れを示すフローチャートである。
【図２７】図２７は、その具体例を示す説明図である。
【図２８】図２８は、情報投影装置の構成を示す機能ブロック図である。
【図２９】図２９は、情報処理装置を含むシステムの構成を示す機能ブロック図である。
【発明を実施するための形態】
【００１０】
以下に添付図面を参照して、この発明にかかる表示制御装置およびプログラムの最良な実施の形態を詳細に説明する。
【００１１】
ここで、図１は情報投影システム４００のシステム構成を示すブロック図、図２は情報投影装置１００および質問入力装置２００の構成を示す機能ブロック図である。本実施の形態にかかる情報投影システム４００は、表示制御装置である情報投影装置１００と、複数のＰＣ（Personal  Computer）等の質問入力装置２００とを備え、それぞれがインターネットやＬＡＮ（Local  Area  Network）等のネットワーク３００に接続された構成となっている。
【００１２】
なお、情報投影装置１００は、投影スクリーンに文書データの内容を投影表示するプロジェクタ等が該当するが、これに限定されるものではない。
【００１３】
まず、質問入力装置２００の詳細について説明する。質問入力装置２００は、図２に示すように、通信部２０１と、入力部２０２と、表示部２０３と、質問情報作成部２０４とを主に備えている。
【００１４】
通信部２０１は、情報投影装置１００との間で各種の情報や要求を送受信する。通信部２０１は、例えば後述する質問情報（図９参照）を情報投影装置１００に送信する。
【００１５】
表示部２０３は、通信部２０１を介して情報投影装置１００の記憶部１０３に記憶されている表示画像を参照し、表示する。
【００１６】
入力部２０２は、表示部２０３で表示されている画像に対する入力を受け付ける。例えば、入力部２０２は、表示部２０３で表示されている画像に対する質問表示位置、質問対象位置を指定する。例えば質問入力装置２００がモバイルＰＣなどの端末である場合、マウスなどのポインティングデバイス（図示せず）を用いて入力部２０２を介し、表示部２０３で表示されている画像に対して範囲を選択することにより、質問対象位置Ａと質問表示位置Ｂとを指定する（図６参照）。
【００１７】
より詳細には、入力部２０２は、範囲を選択する順序により質問対象位置Ａの入力か、質問表示位置Ｂの入力かを判別する。入力部２０２は、マウスなどのポインティングデバイス（図示せず）を用いて入力された質問対象位置Ａと質問表示位置Ｂとの絶対座標を基に、表示部２０３で表示されている画像（資料等）における相対座標を計算する。入力部２０２は、計算された相対座標を質問情報の質問対象位置Ａ、質問表示位置Ｂとする。
【００１８】
また、入力部２０２は、表示部２０３で表示されている画像に対する質問内容について、テキストでの入力を受け付ける。
【００１９】
質問情報作成部２０４は、表示部２０３で表示されている画像に対し、入力部２０２によって入力された質問内容情報、質問対象位置情報、質問表示位置情報を基に、質問情報を作成する。
【００２０】
次に、情報投影装置１００の詳細について説明する。情報投影装置１００は、図２に示すように、通信部１０１と、操作部１０２と、記憶部１０３と、表示装置である投影表示部１０４と、ページ管理部１０５と、質問管理部１０６と、質問画像作成部１０７と、画像合成部１０８とを主に備えている。
【００２１】
通信部１０１は、質問入力装置２００との間で各種の情報や要求を送受信する。通信部１０１は、例えば、質問入力装置２００から送信される質問情報を受信する。
【００２２】
投影表示部１０４は、各種の画像データを、ユーザによって指示された表示形態でスクリーンに投影表示する。
【００２３】
操作部１０２は、外部から情報投影装置１００に対する操作要求を受け付ける。例えば、操作部１０２は、投影表示部１０４への投影表示の中断の指示を、ユーザから受け付ける。また、操作部１０２は、投影表示部１０４への投影表示の中断の後に投影表示を再開することを示す再開の指示を、ユーザから受け付ける。
【００２４】
操作部１０２は、例えば、ボタン、リモコン受信部、および、ＩＣカードなどから情報を読取るカードリーダなどにより構成される入力デバイスである。なお、操作部１０２がキーボードを備えるように構成してもよい。
【００２５】
記憶部１０３は、ハードディスクドライブ装置（ＨＤＤ）等の記憶媒体であり、後述する文書データや、画像リスト等を記憶する。ここで、文書データには、プレゼンテーション資料作成ソフトウェアやワードプロセッサ等で生成されたデータ、あるいはこれらのデータから変換された表示用データ等が該当するが、これらに限定されるものではない。
【００２６】
ページ管理部１０５は、操作部１０２から質問表示要求があった場合、各質問に対する質疑応答の順番と時間をスケジューリングし、表示対象の質問を特定する。各質問の表示時間が経過した場合、次のスライドへの画像切り替えを行う。
【００２７】
質問管理部１０６は、質問入力装置２００から質問情報を受信した場合、当該質問情報に対して識別管理情報である質問ＩＤや質問者ＩＤを付加する。
【００２８】
画像合成部１０８は、ページ管理部１０５から指定された質問情報を基に、質問管理部１０６に質問画像作成要求を行い、質問とスライドを合成した画像を作成する。
【００２９】
質問画像作成部１０７は、質問情報に含まれる質問表示位置情報と質問対象位置情報を基に、質問画像の大きさを決定し、質問内容と質問者名を描画する。
【００３０】
次に、以上のように構成された本実施の形態の情報投影システム４００による質疑応答時間の登録処理について説明する。図３は、質疑応答時間の登録処理を示すシーケンス図である。
【００３１】
図３に示すように、情報投影装置１００の操作部１０２からページ管理部１０５に対して質問時間情報の登録が行われると（ステップＳ５１）、ページ管理部１０５は、記憶部１０３に記憶する（ステップＳ５２）。
【００３２】
質問時間情報として登録されるデータ構造は、図４に示すように、以下に示す２つがある。
質疑応答時間：合計で何分の質疑応答を行うかを表す（質問および応答に係る全体時間）。
最低質問時間：少なくとも１つの質問にどれだけの時間を必要とするかを表す。
【００３３】
最低質問時間を満たせない質問が存在する場合は、最も優先度の低い質問（最も表示順番の遅い質問）を事後対応扱いとして表示を行なわずに、質問時間のスケジューリングからは削除する。このようにすることで、限られた時間の中で、優先度の高い時間に集中して質疑応答を行うことができる。また、最低質問時間を満たせない質問が存在しない場合（各質問数に対して最低質問時間を割り当てた後、時間が余っている場合）は、優先順位の高い質問（最も表示順番の早い質問）に多くの時間を割り当てる。このようにすることで、限られた時間の中で、優先度の高い時間に長く時間を割いて質疑応答を行うことができる。スケジューリング方法の詳細は、後述する。
【００３４】
次に、以上のように構成された本実施の形態の情報投影システム４００による質問情報の登録処理について説明する。図５は、質問情報の登録処理を示すシーケンス図である。
【００３５】
まず、質問入力装置２００は、システムにアクセスする際に質問者ＩＤを入力するとともに、入力部２０２から入力された表示画像取得の指示を、通信部２０１を介して情報投影装置１００に送信する（ステップＳ１）。
【００３６】
情報投影装置１００は、通信部１０１を介して表示画像取得の指示を受信すると（ステップＳ２）、受信した表示画像取得の指示を基に、ページ管理部１０５によって記憶部１０３から表示画像（表示用データ）を取得する（ステップＳ３）。ここで、取得する表示画像は、例えば画像Ｐ（図６参照）である。
【００３７】
その後、情報投影装置１００は、取得した表示画像（表示用データ）を、通信部１０１を介して質問入力装置２００に送信する（ステップＳ４）。
【００３８】
そして、質問入力装置２００は、通信部２０１を介して情報投影装置１００から表示画像を取得すると（ステップＳ５）、取得した表示画像を表示部２０３により表示する。
【００３９】
次いで、質問入力装置２００は、表示部２０３に表示された画像に対する入力部２０２を介した入力に基づき、質問情報作成部２０４において質問情報を作成する（ステップＳ６）。
【００４０】
ここで、図６は質問情報作成時の入力例を示す説明図である。図６に示すように、質問者は、表示部２０３に表示されている画像Ｐに対し、入力部２０２を用いて質問対象位置Ａと質問表示位置Ｂと、質問対象ページＣとを指定し、質問内容を入力する。
【００４１】
このように質問対象位置Ａと質問表示位置Ｂを特定できる入力手段を持ち、質問対象位置と質問表示位置を質問者が指定できることにより、発表者が質問を理解しやすくなる。
【００４２】
上述のようにして質問内容などが入力されると、質問入力装置２００は、入力された質問内容情報、質問対象位置情報、質問表示位置情報、質問対象ページ情報を基に、質問情報作成部２０４において質問情報を作成し、通信部２０１を介して情報投影装置１００に質問情報を送信する（ステップＳ７）。
【００４３】
ここで、質問入力装置２００側で作成された質問情報の一例を図７に示す。図７に示す質問情報の例は、「Ichiro」さんの質問入力装置２００において、ページ“１”とページ“５”とが質問対象ページになっており、質問内容情報、質問対象位置情報、質問表示位置情報が入力されている。質問内容情報は、質問者の質問内容を示すものである。質問対象ページ情報は、質問者が質問したいページを示すものである。質問対象位置情報は、質問者が質問したい箇所の位置情報を示すものである。質問表示位置情報は、質問者が質問内容を表示したい場所の位置情報を示すものである。
【００４４】
加えて、質問情報には、質問の重み付け情報（例えば、質問優先度）と均等配分情報（例えば、参加者Role）を含めることができる。これらの重み付け情報や均等配分情報の項目は情報投影装置１００の記憶部１０３が保持している。なお、重み付け情報、均等配分情報は、それぞれ複数あってもよい。
【００４５】
質問入力装置２００の質問情報作成部２０４は、情報投影装置１００の記憶部１０３から図８に示すような表示画像Ｑを取得して表示部２０３に表示させ、表示画像Ｑを介して質問者が質問の重み付け情報（例えば、質問優先度、参加役割重要度）と均等配分情報（例えば、参加者Role、国籍）とについて手動で入力させる。このように重み付けの情報及び均等配分情報の選択項目について選択可能なインタフェース（表示画像Ｑ）を有し、質問登録時にそれぞれの項目を、質問者が手動で入力することにより、プレゼンテーションの内容、質問の重要度に応じて、質問者が自由に質問の重み付けを行うことができる。
【００４６】
なお、情報投影装置１００の質問管理部１０６が質問者のユーザ情報を保持しており、質問者ＩＤを基に重み付け情報と均等配分情報との少なくともいずれか一方の選択項目について自動で入力してもよい。このようにユーザの情報を保持し、質問者からの質問情報登録時に、重み付け情報及び均等配分情報を質問者に紐付けて保持することにより、ユーザ情報として固有の項目は、いちいち手動で入力しなくても、システムが自動で紐付けることができる。
【００４７】
重み付け情報（例えば、質問優先度）は、その質問に対する重み付け情報として、スケジューリングを行う際に利用する。重み付け情報は、重み付けが大きい質問を優先させるようにするようにするものである。詳細は後述する。
【００４８】
均等配分情報（例えば、参加者Role）は、プレゼンテーションにおける参加者の均等配分情報を入力する。均等配分情報は、質問のスケジューリングの際に利用する。均等配分情報は、できるだけ異なる特徴を持つ参加者の質問をスケジューリングするために利用する。詳細は後述する。
【００４９】
均等配分情報というのは、質問者の属性（例えば、国籍、年齢、性別など）のことである。均等配分という言葉の意味は、重み付け情報と対比させるために用いている。重み付け情報は、重み付けが大きい質問を優先させるようにしているが、均等配分情報は、重み付け情報とは異なり、重み付けを行うものではない。
【００５０】
そして、情報投影装置１００は、通信部１０１を介して質問情報を受信すると、質問管理部１０６によって当該質問情報に対して質問ＩＤ、質問者ＩＤなどを付加して質問情報を更新する（ステップＳ８）。質問ＩＤは、質問を受け付けた順番に割り振るものとする。また、質問者ＩＤは、質問情報を送信した質問入力装置２００を基に、付加するものとする。
【００５１】
その後、情報投影装置１００は、質問情報を記憶部１０３に保存する（ステップＳ９）。
【００５２】
ここで、図９は質問情報のデータ構造を示す模式図である。図９に示すように、質問情報は、質問ＩＤ、質問者ＩＤ、質問内容情報、質問対象ページ情報、質問表示位置情報、質問対象位置情報などを含んでいる。質問内容情報、質問対象ページ情報、質問表示位置情報、質問対象位置情報は、上述したように、質問者の入力を基に質問入力装置２００で作成される。また、図９に示すように、質問情報には、重み付け情報（例えば、質問優先度）、均等配分情報（例えば、参加者Role）などを含めることができる。
【００５３】
質問ＩＤ、質問者ＩＤは、上述したように、情報投影装置１００の質問管理部１０６によって質問情報に対して付加される。質問ＩＤは、質問情報の識別子であり、質問を受け付けた順に質問管理部１０６によって割り振られる。質問者ＩＤは、質問者の識別子であり、質問情報を送信した質問入力装置２００を基に付加される。
【００５４】
ここで、質問情報の一例を図１０に示す。図１０に示す質問情報の例は、「Ichiro」さんの質問入力装置２００において、質問対象ページ情報、質問内容情報、質問表示位置情報、質問対象位置情報、重み付け情報（例えば、質問優先度）、均等配分情報（例えば、参加者Role）が作成されたものであって、情報投影装置１００で質問ＩＤ（「１」）が質問を受け付けた順に振られ、質問者ＩＤ（「Ichiro」）が付加されたものである。
【００５５】
重み付け情報の例である質問優先度情報は、質問入力装置２００によって指定される。図１０に示すように、重み付け情報は高い順から（３、２、１、０）の順で指定する。また、均等配分情報の例である参加者Role情報は、参加者の役割を入力する。
【００５６】
次に、情報投影装置１００における質疑応答の開始処理について説明する。図１１は、質疑応答の開始処理を示すシーケンス図である。
【００５７】
情報投影装置１００は、操作部１０２からの質問表示要求を受け付けると（ステップＳ１１）、ページ管理部１０５によって記憶部１０３から質問情報を取得し、各質問の質問順番と質問時間のスケジューリングを実行し（ステップＳ１２）、図１２に示すような各質問ＩＤと優先順位、質問時間の対応テーブルを作成し、保持する。
【００５８】
次いで、情報投影装置１００は、スケジューリングを実行後、ページ管理部１０５から画像合成部１０８に対して、優先順位に基づいて、質問合成画像作成要求を行う（ステップＳ１３）。
【００５９】
次いで、情報投影装置１００は、画像合成部１０８から質問管理部１０６に表示する質問画像作成要求を行い（ステップＳ１４）、質問管理部１０６から質問画像作成部１０７に質問画像作成要求を行う（ステップＳ１５）。
【００６０】
次いで、情報投影装置１００は、質問画像作成部１０７で質問情報を基に質問画像を作成する（ステップＳ１６）。図１３は、質問画像の作成手法を示す模式図である。質問画像の作成手法としては、図１３の（ａ）に示すように、まず、質問対象位置情報を基に質問対象位置を示す画像の大きさを決定して画像を作成する。次に、図１３の（ｂ）に示すように、質問表示位置情報を基に、質問を表示する画像の大きさを決定し、質問内容と質問者名を描画する。このようにして質問画像作成部１０７で作成された質問画像は、記憶部１０３に保存される。
【００６１】
次いで、情報投影装置１００は、画像合成部１０８によって記憶部１０３から対象質問の質問画像と表示画像を取得し（ステップＳ１７）、表示画像に質問画像を合成する（ステップＳ１８）。そして、情報投影装置１００は、ページ管理部１０５において、合成された画像を画像合成部１０８から取得し（ステップＳ１９）、投影表示部１０４に対して表示要求する（ステップＳ２０）。
【００６２】
ここで、情報投影装置１００は、質問合成画像の表示を開始後、ページ管理部１０５においてタイマーにより時間を計測し（ステップＳ２１）、（質問時間−残表示時間）が経過すると、投影表示部１０４に対して、残り時間表示要求を行う（ステップＳ２２）。図１４は、ページ管理部１０５による、質疑応答合成画像の表示管理中に、各質問の質問画像Ｚを含む合成画像Ｘに表示可能な残り表示時間Ｔを表示する画面の例である。図１４に示すように、各質問に割り振られた残り表示時間Ｔを合成画像Ｘ上に表示することによって、質問の残り表示時間を意識して、質疑応答を行うことができる。
【００６３】
その後、情報投影装置１００は、ページ管理部１０５において残表示時間が経過したと判断すると（ステップＳ２３）、ページの切り替えを行い（ステップＳ２４）、ページ管理部１０５から画像合成部１０８に対して、優先順位に基づいて、次の質問の質問合成画像作成要求を行う（ステップＳ１３）。
【００６４】
すなわち、情報投影装置１００は、ステップＳ１３〜ステップＳ２４に示すように、最後の質問まで、質問画像作成と表示のシーケンスを繰り返す。
【００６５】
このように質問毎の質問表示を開始してから、決められた時間が経過すると、自動で次の質問へのページ切り替えを行うことにより、プレゼンターはいちいちページの切り替え操作を行う必要がなくなり、自動で質問のスケジュール管理を行える。
【００６６】
なお、図１５は、手動でページ切り替えを行う例である。図１５に示すように、情報投影装置１００は、投影表示部１０４に対して表示要求した後（ステップＳ２０）、スケジューリングされていた（質問時間−残表示時間）よりも早く対象質問に対する質疑が終わった場合は、手動で操作部１０２からページ切り替え要求（画像切り替え要求）を行うと（ステップＳ３１）、ページ管理部１０５によってタイマーをリセットして（ステップＳ３２）、ページの切り替えを行い（ステップＳ２４）、次の質問へ移行する。
【００６７】
このように質問毎の質問表示を開始してから、操作者による操作部１０２への手動操作で、残り時間をスキップして次の質問へのページ切り替えを行うことにより、スケジュールされた質問時間に対して、回答が早く終わった場合に、次の質問への移行を行える。
【００６８】
また、図１６は、（質問時間−残表示時間）が経過して、残時間表示要求を行った後に、手動切り替え要求を行う例である。図１６に示すように、情報投影装置１００は、投影表示部１０４に対して表示要求した後（ステップＳ２０）、（質問時間−残表示時間）が経過し（ステップＳ２１）、投影表示部１０４に対して、残り時間表示要求を行った後（ステップＳ２２）、手動で操作部１０２からページ切り替え要求（画像切り替え要求）を行うと（ステップＳ３１）、ページ管理部１０５によってタイマーをリセットして（ステップＳ３２）、ページの切り替えを行い（ステップＳ２４）、次の質問へ移行する。
【００６９】
続いて、上述したような処理に基づく質問画像と表示画像との合成画像の実施例について説明する。
【００７０】
図１７は、プレゼンテーション実施中の表示画像Ｐと、プレゼンテーション後に表示される合成画像Ｘとを示したものである。図１７に示すように、プレゼンテーション後に表示される合成画像Ｘには、質問画像（質問箇所を示す画像と質問内容を示す画像）Ｚが図１０に示す質問ＩＤ順に合成されて表示される。
【００７１】
また、図１７に示すように、ページ管理部１０５は、１つの質問ごとに質問画像Ｚを作成する。このように質問内容を質問箇所に重なることなく表示することにより、質問対象箇所が明確になり、発表者が質問内容を理解しやすくなる。
【００７２】
次に、情報投影装置１００のページ管理部１０５による、各質問の質問順番と質問時間のスケジューリング処理の実施例について説明する。
【００７３】
＜実施例１＞重み付け情報に基づくスケジューリング例
図１８は、スケジューリング処理の流れを示すフローチャートである。図１８に示すように、ページ管理部１０５は、まず、図３および図４で示した質疑応答時間および最低質問時間で構成される質問時間情報を取得するとともに（ステップＳ６１）、図８および図９で示した質問情報を取得し（ステップＳ６２）、質問情報に基づいて、質問順番の優先順位を決定する（ステップＳ６３）。
【００７４】
図１９は、質問情報の重み付け情報に基づく優先順位の決定例を示す説明図である。図１９に示すように、質問情報の重み付け情報に基づいて優先順位を決める場合、重み付け情報の数値が高い質問（この例では、質問ＩＤ２）を最も高い優先順位とする。また、質問優先度情報の数値が同じ場合は、先に質問された質問の優先順位を高くする。質問優先度情報が０のもの（質問ＩＤ４）は図１０で説明したように、質問の中身がないので、優先順位はつけない。
【００７５】
次に、ページ管理部１０５は、対応する質問数ｎを全体質疑応答時間Ｔtotal／最低質問時間Ｔminとし、ｎ＋１番目から登録された質問数Ｎ番目までの質問時間を０とする（ステップＳ６４）。
【００７６】
そして、ページ管理部１０５は、各質問に対し、重み付け情報Ｇｉに基づいて、質問時間Ｔｉを比例配分する（ステップＳ６５）。質問時間Ｔｉは、下記の式で表すことができる。
Ｔｉ＝Ｔmin＋（Ｔtotal−ｎ・Ｔmin）×（Ｇｉ／Ｇ１＋Ｇ２＋・・・＋Ｇｎ）
【００７７】
このように重み付け（優先度）の高い質問に対して、優先順位を高くし、長い時間を割り振ることで、順番を早くし、質問時間を長くすることで、効果の高い質疑応答を行うことができる。
【００７８】
＜実施例２＞均等配分情報に基づくスケジューリング例
図２０は、スケジューリング処理の流れを示すフローチャートである。図２０に示すように、ページ管理部１０５は、まず、図３および図４で示した質疑応答時間および最低質問時間で構成される質問時間情報を取得するとともに（ステップＳ７１）、図８および図９で示した質問情報を取得し（ステップＳ７２）、質問情報に基づいて、均等配分の対象である属性の取りうる値毎の質問順番を決定する（ステップＳ７３）。
【００７９】
均等配分の属性の取りうる値の数は、例えば、質問者の国籍が日本、アメリカ、中国の３種類だった場合においては、“３”となる。また、その順番は、質問情報に付加された質問ＩＤが若いものから優先される（つまり、早いもの勝ち）。例えば、質問が下記に示すような場合には、均等配分情報の中で最も若い質問ＩＤによって均等配分情報の順番（日本→アメリカ→中国）が決まることになる。
質問ＩＤ１：日本
質問ＩＤ２：日本
質問ＩＤ３：アメリカ
質問ＩＤ４：中国
【００８０】
そして、決められた均等配分情報の順番に基づいて、均等配分情報の中で最も若い質問ＩＤから優先順位が割り振られる。上記例においては、下記のようになる。
質問ＩＤ１が、優先順位１（日本の中で最も質問ＩＤが若い）
質問ＩＤ３が、優先順位２（アメリカの中で最も質問ＩＤが若い）
質問ＩＤ４が、優先順位３（中国の中で最も質問ＩＤが若い）
質問ＩＤ２が、優先順位４（日本の中で２番目に質問ＩＤが若い）
【００８１】
以上のような方法を用いることで、同じ均等配分情報が続いている場合でも、異なる均等配分情報の優先順位が高くなる。
【００８２】
なお、それぞれの属性の取りうる値の順番は、予め決められていても良い。また、とりうる値の中で、最も若い質問ＩＤが登録された順番を基に、順番を決定してもよい。
【００８３】
そして、ページ管理部１０５は、均等配分の対象である属性の取りうる値毎の決められた質問順番を基に、各属性インスタンスの中で、最も若い質問ＩＤへ優先順位を割り当てる。これを割り当てが終わるまで繰り返す（ステップＳ７４）。
【００８４】
図２１は、質問情報の均等配分情報に基づく優先順位の決定例を示す説明図である。図２１に示すように、質問情報の均等配分情報に基づいて優先順位を決める場合、同じ均等配分情報が続いている場合、異なる均等配分情報の優先順位を高くする。この例では、役割Ａの質問ＩＤ２より、均等配分情報が質問ＩＤ１と異なる役割Ｂの質問ＩＤ３の優先順位を高くしている。
【００８５】
次に、ページ管理部１０５は、対応する質問数ｎを全体質疑応答時間Ｔtotal／最低質問時間Ｔminとし、優先順位がｎ＋１番目から登録された質問数Ｎ番目までの質問の質問時間を０とする（ステップＳ７５）。
【００８６】
最後に、ページ管理部１０５は、各質問に対して、Ｔtotal／ｎの質問時間を均等配分する（ステップＳ７６）。
【００８７】
このように均等配分情報が同じ特徴を持つ質問者の質問が続いている場合は、均等配分情報の異なる特徴を持つ質問者の質問の優先順位を高くすることにより、プレゼンテーションにおいて、できるだけ異なる特徴を持つ質問者に分散して質疑を行うことができる。
【００８８】
＜実施例３＞質問対象ページ情報に基づくスケジューリング例
図２２は、スケジューリング処理の流れを示すフローチャートである。図２２に示すように、ページ管理部１０５は、まず、図３および図４で示した質疑応答時間および最低質問時間で構成される質問時間情報を取得するとともに（ステップＳ８１）、図８および図９で示した質問情報を取得し（ステップＳ８２）、質問対象ページ情報で、同じページに対する質問がある場合、対象ページ毎の質問数が多い順にページ単位の優先順位を決定する（ステップＳ８３）。
【００８９】
次に、ページ管理部１０５は、対応する質問数ｎを全体質疑応答時間Ｔtotal／最低質問時間Ｔminとし、優先順位がｎ＋１番目から登録された質問数Ｎ番目までの質問の質問時間を０とする（ステップＳ８４）。なお、対応するページ数ｍは、ｎ番目までに存在するページの数とする。
【００９０】
次に、ページ管理部１０５は、各ページの質問数Ｐｉに応じて、ページ単位の割り振り時間ＰＴｉを下記の式に従って決定する（ステップＳ８５）。
ＰＴｉ＝Ｔtotal×（Ｐｉ／Ｐ１＋Ｐ２＋・・・＋Ｐｍ）
【００９１】
最後に、ページ管理部１０５は、各ページ内の各質問に対して、それぞれ質問時間の割り振りを行う（ステップＳ８６）。
各ページの各質問時間ＰｉＱｊ＝ＰＴｉ／Ｐｉ
【００９２】
このように同じページに対する質問が複数ある場合は、ページ単位での優先順位決めと時間の割り振りを行いスケジューリングすることにより、質問数が複数あるページは、関心が高いことが多いので、順番を早め、質疑応答時間を長くすることで、参加者全体として関心の高いページに対して重点的に質疑応答を行うことができる。また、同じページに対する質問をまとめることで、効率を上げることができる。また、同じ質問だけで質疑応答時間を使い切ってしまうことを防ぐ。
【００９３】
＜実施例４＞質問者ＩＤに基づくスケジューリング例
図２３は、スケジューリング処理の流れを示すフローチャートである。図２３に示すように、ページ管理部１０５は、まず、図３および図４で示した質疑応答時間および最低質問時間で構成される質問時間情報を取得するとともに（ステップＳ９１）、図８および図９で示した質問情報を取得し（ステップＳ９２）、同じ質問者ＩＤからの質問が複数ある場合、まず質問数が多い質問者順に優先順位を決定する（ステップＳ９３）。
【００９４】
次に、ページ管理部１０５は、対応する質問数ｎを全体質疑応答時間Ｔtotal／最低質問時間Ｔminとし、登録された質問ＩＤの中から質問数が最も多い質問者の中で、優先順位が低い質問者の質問ＩＤが最も大きい（最も後に登録された）質問の質問時間を０とする（ステップＳ９４）。この処理は、「登録された質問数Ｎ−対応する質問数ｎ」回だけ繰り返される。なお、対応する質問者数ｍは、ｎ番目までに存在する質問者の数とする。
【００９５】
次に、ページ管理部１０５は、各ページの質問数に応じて、質問者単位の割り振り時間ＰＴｉを下記の式に従って決定する（ステップＳ９５）。
ＰＴｉ＝Ｔtotal×（Ｐｉ／Ｐ１＋Ｐ２＋・・・＋Ｐｍ）
最後に、ページ管理部１０５は、各質問者の各質問に対して、それぞれ質問時間の割り振りを行う（ステップＳ９６）。
各質問者の各質問時間ＰｉＱｊ＝ＰＴｉ／Ｐｉ
【００９６】
このように同じ質問者ＩＤからの複数の質問に対しては、質問者ＩＤ単位での優先順位決めと時間の割り振りを行うことにより、質問者毎の質問をまとめることで効率化を図り、質問者毎の時間を割り振ることで、できるだけ多くの参加者と、質疑応答を行うことができる。
【００９７】
＜実施例５＞複数の項目に基づくスケジューリング例
実施例１〜実施例５で説明した複数の項目を用いて、質問順番の優先順位及び質問順番を決めることが可能である。このように複数の項目を用いて質問順番の優先順位及び質問順番を決める際には、図２４に示すように、各項目の優先度（少ない数字が優先度が高い）及び有効／無効を指定する。図２４に示す例では、図１９に示した質問優先度情報（重み付け情報の例）による優先順位決定が最も高く設定されており、図２１に示した参加者Role情報（均等配分情報の例）が２番目に設定されている。無効に設定されているその他の項目は、スケジューリング決定の際には考慮しない。
【００９８】
図２５は、スケジューリング処理の流れを示すフローチャートである。図２５に示すように、複数の項目でスケジューリングを行う場合、ページ管理部１０５は、図３および図４で示した質疑応答時間および最低質問時間で構成される質問時間情報を取得するとともに（ステップＳ１０１）、図８および図９で示した質問情報を取得し（ステップＳ１０２）、最も優先度の高い項目で、質問順番の優先順位と質問時間をスケジューリングする（ステップＳ１０３）。
【００９９】
次に、ページ管理部１０５は、項目が残っている場合は（ステップＳ１０４のＹｅｓ）、前段のスケジューリングに用いた項目が同じ質問ＩＤ群に対して、決められた質問順番の優先順位と質問時間を再スケジューリングする（ステップＳ１０５）。ページ管理部１０５は、項目が残っていない場合は（ステップＳ１０４のＮｏ）、処理を終了する。
【０１００】
ここで、図２６は再スケジューリング処理の流れを示すフローチャート、図２７はその具体例を示す説明図である。図２６に示すように、ページ管理部１０５は、まず、前段のスケジューリングに用いた項目が同じ質問ＩＤ群をグループ化する（ステップＳ１１１）。図２７に示す例では、前段の質問優先度情報によるスケジューリングの後、それぞれ、質問優先度情報が同じ質問ＩＤ４と、質問ＩＤ１，ＩＤ２，ＩＤ３との二つのグループに分ける。
【０１０１】
次に、ページ管理部１０５は、前段の項目によるスケジューリングで各質問ＩＤに与えられた優先順位を、それぞれの各グループ内で取得可能な優先順位とする（ステップＳ１１２）。図２７に示す例では、質問優先度情報が「１」のグループで、２，３，４が優先順位としてとりうる値である。
【０１０２】
次に、ページ管理部１０５は、前段の項目によるスケジューリングで各質問ＩＤに割り当てられた質問時間を、それぞれの各グループ内でマージして、そのグループ内でのトータル質問時間とする（ステップＳ１１３）。図２７に示す例では、質問優先度情報が「１」のグループで、“３＝１＋１＋１”がトータル質問時間となる。
【０１０３】
次に、ページ管理部１０５は、それぞれの各グループ内で、今回のスケジューリングにより、優先順位と質問時間を再分配する（ステップＳ１１４）。
【０１０４】
このようにスケジューリングを行う際に、複数の項目を用いて、スケジューリングするとともに、その際に優先する項目及び項目の有効／無効を指定することにより、状況に応じて、複数の項目を組み合わせてスケジューリングを行うことができる。
【０１０５】
このように本実施の形態によれば、表示画像による説明後に行われる質疑応答で、説明中に登録された質問情報を基に、各質問に対する対象ページの表示順番と表示時間を管理し、表示順番および表示時間に従って質問対象の合成画像の表示切り替えを行うことで、決められた時間内で効率的に質疑応答を行うことができる。
【０１０６】
本実施形態の情報投影装置１００は、ＣＰＵなどの制御装置、ＲＯＭ（Read  Only  Memory）やＲＡＭなどの記憶装置、ＨＤＤ、ＣＤドライブ装置などの外部記憶装置などを備えており、通常のコンピュータを利用したハードウェア構成となっている。
【０１０７】
本実施形態の情報投影装置１００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０１０８】
また、本実施形態の情報投影装置１００で実行されるプログラムを、インターネット等のネットワークに接続されたコンピュータ上に格納し、ネットワーク経由でダウンロードさせることにより提供するように構成しても良い。また、本実施形態の情報投影装置１００で実行されるプログラムをインターネット等のネットワーク経由で提供または配布するように構成しても良い。
【０１０９】
また、本実施形態のプログラムを、ＲＯＭ等に予め組み込んで提供するように構成してもよい。
【０１１０】
本実施形態の情報投影装置１００で実行されるプログラムは、上述した各部（通信部１０１、操作部１０２、記憶部１０３、投影表示部１０４、ページ管理部１０５、質問管理部１０６、質問画像作成部１０７、画像合成部１０８）を含むモジュール構成となっており、実際のハードウェアとしてはＣＰＵ（プロセッサ）が上記記憶媒体からプログラムを読み出して実行することにより上記各部が主記憶装置上にロードされ、通信部１０１、操作部１０２、記憶部１０３、投影表示部１０４、ページ管理部１０５、質問管理部１０６、質問画像作成部１０７、画像合成部１０８が主記憶装置上に生成されるようになっている。
【０１１１】
なお、本実施の形態においては、表示制御装置として投影スクリーンに文書データの内容を投影表示するプロジェクタ等の情報投影装置１００を適用したが、これに限るものではなく、ノートＰＣ（Personal  Computer）などであっても良い。
【０１１２】
なお、本実施の形態においては、情報投影システム４００を情報投影装置１００と質問入力装置２００とをネットワーク３００に接続した構成としたが、これに限るものではなく、図２８に示すように、質問入力装置２００の機能を情報投影装置１００に備えるようにしても良い。
【０１１３】
また、本実施の形態においては、表示制御装置として表示装置である投影表示部１０４を備えた情報投影装置１００を適用したが、これに限るものではなく、図２９に示すように、表示装置（例えば、ＬＣＤ等）５００とは別体である一般的なＰＣ（Personal  Computer）などの情報処理装置６００を表示制御装置として適用しても良い。
【０１１４】
さらに、本実施の形態においては、記憶部１０３、ページ管理部１０５、質問管理部１０６、質問画像作成部１０７、画像合成部１０８などの質問画像を作成するための手段を単一の装置（情報投影装置１００や情報処理装置６００）に備えるようにしたが、これに限るものではなく、これらの各部を複数の装置に分散させたシステムによって表示制御装置を構成するようにしても良い。
【符号の説明】
【０１１５】
１００    表示制御装置
１０２    操作部
１０４    表示装置
１０５    ページ管理部
１０６    質問管理部
１０７    質問画像作成部
１０８    画像合成部
２００    質問入力装置
２０１    通信部
２０２    入力部
２０４    質問情報作成部
【先行技術文献】
【特許文献】
【０１１６】
【特許文献１】特開２００３−１６２２７４号公報
【図１】
0005987315.tif 000002
【図２】
0005987315.tif 000003
【図３】
0005987315.tif 000004
【図４】
0005987315.tif 000005
【図５】
0005987315.tif 000006
【図６】
0005987315.tif 000007
【図７】
0005987315.tif 000008
【図８】
0005987315.tif 000009
【図９】
0005987315.tif 000010
【図１０】
0005987315.tif 000011
【図１１】
0005987315.tif 000012
【図１２】
0005987315.tif 000013
【図１３】
0005987315.tif 000014
【図１４】
0005987315.tif 000015
【図１５】
0005987315.tif 000016
【図１６】
0005987315.tif 000017
【図１７】
0005987315.tif 000018
【図１８】
0005987315.tif 000019
【図１９】
0005987315.tif 000020
【図２０】
0005987315.tif 000021
【図２１】
0005987315.tif 000022
【図２２】
0005987315.tif 000023
【図２３】
0005987315.tif 000024
【図２４】
0005987315.tif 000025
【図２５】
0005987315.tif 000026
【図２６】
0005987315.tif 000027
【図２７】
0005987315.tif 000028
【図２８】
0005987315.tif 000029
【図２９】
0005987315.tif 000030